【事件の表示】
　特願２０１１−　６０４８８「電子部品及びその製造方法と、配線基板」拒絶査定不服審判事件〔平成２４年１０月１８日出願公開、特開２０１２−１９９２６９〕について、次のとおり審決する。
【結　論】
　本件審判の請求は、成り立たない。
【理　由】
１　手続の経緯
　本願は、平成２３年３月１８日の出願であって、平成２６年６月２４日付けで拒絶理由が通知され、これに対し平成２６年８月２９日付けで意見書及び補正書が提出され、平成２６年９月３０日付けで拒絶理由（最後の拒絶理由通知）が通知され、これに対し平成２６年１２月５日付けで意見書及び補正書が提出され、平成２７年４月８日付けで、平成２６年１２月５日付け手続補正書でした補正に対して補正の却下の決定がされるとともに、該補正の却下の決定と同日付けで拒絶査定（発送日：同年４月１４日）がされ、これに対し平成２７年７月３日に拒絶査定不服審判が請求されると同時に手続補正がされたものである。
　　　　　
２　平成２７年７月３日付けの手続補正についての補正却下の決定
［補正却下の結論］
　平成２７年７月３日付けの手続補正（以下「本件補正」という。）を却下する。
　　　　　
［理由］
（１）補正後の発明
　本件補正により、特許請求の範囲の請求項１は、
「基板と、
　前記基板の第１の面に位置する第１のランドと、
　前記第１の面に位置し、第１の方向において前記第１のランドと離れた状態で隣り合う第２のランドと、
　第１の電極と第２の電極とを有し、前記第１の電極が前記第１のランドに接続されると共に、前記第２の電極が前記第２のランドに接続される素子と、を備え、
　前記第１のランドは前記第２のランドと向かい合う第１の辺を有し、
　前記第２のランドは前記第１のランドと向かい合う第２の辺を有し、
　前記第１の辺は第１の中央部と第１の端とを含み、
　前記第２の辺は第２の中央部と第２の端とを含み、
　前記第１の方向において、前記第１の中央部と前記第２の中央部とが向かい合うと共に、前記第１の端と前記第２の端とが向かい合い、
　前記第１の端と前記第２の端との間の第１の距離は、前記第１の中央部と前記第２の中央部との間の第２の距離よりも長く、
　前記第１の電極は、前記第１の中央部と前記第１の端との間に位置し、且つ前記第１の方向における前記第１の辺と前記第２の辺との間の距離が前記第２の距離より長く位置する前記第１の辺と重なり、
　前記第２の電極は、前記第２の中央部と前記第２の端との間に位置し、且つ前記第１の方向における前記第１の辺と前記第２の辺との間の距離が前記第２の距離より長く位置する前記第２の辺と重なり、
　前記第１の電極の前記第１の方向と平面視で直交する方向における幅は、前記第２の距離よりも大きく、
　前記第２の電極の前記第１の方向と平面視で直交する方向における幅は、前記第２の距離よりも大きいことを特徴とする電子部品。」
と補正された。
　　　　　
　本件補正は、請求項１に記載した発明を特定するために必要な事項である「第１の電極」及び「第２の電極」について、「第１の電極の前記第１の方向と平面視で直交する方向における幅は、前記第２の距離よりも大きく、第２の電極の前記第１の方向と平面視で直交する方向における幅は、前記第２の距離よりも大きい」との限定を付すものであり、かつ、補正後の請求項１に記載される発明は、補正前の請求項１に記載された発明と、産業上の利用分野及び解決しようとする課題が同一であるので、本件補正は、特許法第１７条の２第５項第２号に掲げる特許請求の範囲の減縮を目的とするものに該当する。
　　　　　
　そこで、本件補正後の請求項１に記載された発明（以下「本願補正発明」という。）が特許出願の際独立して特許を受けることができるものであるか（特許法第１７条の２第６項において準用する同法第１２６条第７項の規定に適合するか）について以下に検討する。
　　　　　
（２）引用文献及びその記載事項
　原審において補正の却下の決定に引用され、本願の出願前に頒布された刊行物である特開平２−２７１５９３号公報（以下「引用文献１」という。）には、図面とともに次の事項が記載されている。
　　　　　
　ア　「特許請求の範囲
　表面実装型２電極チップ部品の電極に接続される部分の幅が前記電極の幅より狭いことを特徴とする表面実装型２電極チップ部品実装用のプリント基板のパッド。
発明の詳細な説明
〔産業上の利用分野〕
　本発明は、表面実装型２電極チップ部品を実装するためにプリント基板に設けられるパッドに関する。」（１ページ左下欄５行〜１４行）
　　　　　　
　イ　「〔実施例〕
　次に、本発明について図面を参照して説明する。
　第１図は本発明の一実施例の平面図である（チップ部品３の右半分は透視して示す）。プリント基板上のパッド１の表面にクリームはんだ２をメタルマスク等で印刷し、チップ部品３を加圧実装する。パッド１はチップ部品３の電極６と接する側が円弧である半円形で、電極６と接続される部分は幅が電極６より狭く、パッド１の外周はチップ部品３の本体とは接していない。その時パッド１上のクリームはんだ２が若干食み出る部分４が発生する。はんだリフロー時その食み出たクリームはんだ４の移動する方向５は、チップ部品３の電極６で吸収される為、チップ部品３の周辺のボール状はんだの発生を防止する。
　第２図および第３図はそれぞれ本発明の他の実施例の平面図およびさらに他の実施例の平面図である。第２図に示す実施例のパッド１ａは、電極６と接する側が狭い台形で、電極６と接続される部分は、幅が電極６より狭い、第３図に示す実施例のパッド１ｂは、電極６と接する側に１頂点が位置する３角形で、電極６と接続される部分は幅が電極６よりも狭い。」（２ページ左上欄７行〜右上欄１０行）
　　　　　
　ウ　第３図を参照すると、下記（ア）〜（オ）の事項がみてとれる。
　なお、「左」、「右」、「上」及び「下」」は、いずれも第３図での紙面に対するものをいう。
　　　　　
（ア）左側のパッド１ｂと、該左側パッド１ｂに対して左右方向に離れて設けられる右側のパッド１ｂとを有していること。
　　　　　
（イ）チップ部品３は、左側のパッド１ｂと接する左側の電極６と、右側のパッド１ｂと接する右側の電極６とを有していること。
　　　　　
（ウ）左側のパッド１ｂは、電極と接する側の頂点、左上の頂点及び左下の頂点を有し、左上の頂点から電極と接する側の頂点を経由して左下の頂点までつながる、逆くの字形状の辺を有する３角形状であり、また、右側のパッド１ｂは、電極と接する側の頂点、右上の頂点及び右下の頂点を有し、右上の頂点から電極と接する側の頂点を経由して右下の頂点までつながる、くの字形状の辺を有する３角形状であること。
　また、左側のパッド１ｂの電極と接する側の頂点と、右側のパッド１ｂの電極と接する側の頂点とは、中心線（第３図の縦方向の一点鎖線）に対して、左右方向において、所定距離だけ離れた状態で対称に位置するとともに、左側のパッド１ｂの逆くの字形状の辺と、右側パッドの逆くの字形状の辺とは、上記中心線に対して対称になるように配置されていること。
　更に、左側のパッド１ｂの左上の頂点と右側のパッド１ｂの右上の頂点との間の距離は、前記所定距離よりも長くなるとともに、左側のパッド１ｂの左下の頂点と右側のパッド１ｂの右下の頂点との間の距離は、前記所定距離よりも長くなっていること。
　　　　　
（エ）左側の電極６は、左上の頂点と電極と接する側の頂点との間において、上記逆くの字形状の辺と重なるとともに、左下の頂点と電極と接する側の頂点との間において、上記逆くの字形状の辺と重なっていること。
　また、右側の電極６は、右上の頂点と電極と接する側の頂点との間において、上記くの字形状の辺と重なるとともに、辺の右下の頂点と電極と接する側の頂点との間において、上記くの字形状の辺と重なっていること。
　　　　　
（オ）左側の電極６の中心線方向の長さ及び右側の電極６の中心線方向の長さは、前記所定距離よりも長くなっていること。（特開平７−２１２０２４号公報の段落【０００６】〜【０００８】及び図６についても参照。）
　　　　　
　上記の記載事項及び図面の記載を総合すると、引用文献１には、表面実装型２電極チップ部品実装用のプリント基板のパッドに関して、第３図の実施例として、次の発明（以下「引用発明１」という。）が実質的に記載されている。
「プリント基板上のパッドの表面にクリームはんだをメタルマスクで印刷し、チップ部品を加圧実装したものであって、
　左側のパッド１ｂと、該左側パッド１ｂに対して左右方向に離れて設けられる右側のパッド１ｂとを有し、
　チップ部品３は、左側のパッド１ｂと接する左側の電極６と、右側のパッド１ｂと接する右側の電極６とを有し、
　左側のパッド１ｂは、電極と接する側の頂点、左上の頂点及び左下の頂点を有し、左上の頂点から電極と接する側の頂点を経由して左下の頂点までつながる、逆くの字形状の辺を有する３角形状であり、右側のパッド１ｂは、電極と接する側の頂点、右上の頂点及び右下の頂点を有し、右上の頂点から電極と接する側の頂点を経由して右下の頂点までつながる、くの字形状の辺を有する３角形状であり、
　左側のパッド１ｂの電極と接する側の頂点と、右側のパッド１ｂの電極と接する側の頂点とは、中心線に対して、左右方向において、所定距離だけ離れた状態で対称に位置するとともに、左側のパッド１ｂの逆くの字形状の辺と、右側パッドの逆くの字形状の辺とは、上記中心線に対して対称になるように配置されており、
　左側のパッド１ｂの左上の頂点と右側のパッド１ｂの右上の頂点との間の距離は、前記所定距離よりも長くなるとともに、左側のパッド１ｂの左下の頂点と右側のパッド１ｂの右下の頂点との間の距離は、前記所定距離よりも長くなっており、
　左側の電極６は、左上の頂点と電極と接する側の頂点との間において、上記逆くの字形状の辺と重なるとともに、左下の頂点と電極と接する側の頂点との間において、上記逆くの字形状の辺と重なっており、
　右側の電極６は、右上の頂点と電極と接する側の頂点との間において、上記くの字形状の辺と重なるとともに、辺の右下の頂点と電極と接する側の頂点との間において、上記くの字形状の辺と重なっており、
　左側の電極６の中心線方向の長さ及び右側の電極６の中心線方向の長さは、前記所定距離よりも長くなっている、
　プリント基板に設けられたパッドに実装された２電極チップ部品。」
　　　　　
（３）対比・判断
　本願補正発明と引用発明１とを対比する。
　引用発明１の「プリント基板」は、本願補正発明の「基板」に相当する。
　以下同様に「左側のパッド１ｂ」は「第１のランド」に、
　「右側のパッド１ｂ」は「第２のランド」に、
　「左右方向」は「第１の方向」に、
　「左側の電極６」は「第１の電極」に、
　「右側の電極６」は「第２の電極」に、
　「チップ部品３」は「素子」に、
　「左上の頂点から電極と接する側の頂点を経由して左下の頂点までつながる、逆くの字形状の辺」は「第１の辺」に、
　「右上の頂点から電極と接する側の頂点を経由して右下の頂点までつながる、くの字形状の辺」は「第２の辺」に、
　左側のパッド１ｂの「電極と接する側の頂点」は「第１の中央部」に、
　左側のパッド１ｂの「左上の頂点」（または「左下の頂点」）は「第１の端」に、
　右側のパッド１ｂの「電極と接する側の頂点」は「第２の中央部」に、
　右側のパッド１ｂの「右上の頂点」（または「右下の頂点」）は「第２の端」に、
　「左側のパッド１ｂの左上の頂点と右側のパッド１ｂの右上の頂点との間の距離」（または「左側のパッド１ｂの左下の頂点と右側のパッド１ｂの右下の頂点との間の距離」）は「第１の距離」に、
　「所定距離」は「第２の距離」に、
　「中心線方向」は「第１の方向と平面視で直交する方向」に、
　「プリント基板に設けられたパッドに実装された２電極チップ部品」は「電子部品」に、それぞれ相当する。
　　　　　
　引用発明１は、「プリント基板上のパッドの表面にクリームはんだをメタルマスクで印刷し、チップ部品を加圧実装したものであって、左側のパッド１ｂと、該左側パッド１ｂに対して左右方向に離れて設けられる右側のパッド１ｂとを有し」ているから、引用発明１は本願補正発明の「基板と、前記基板の第１の面に位置する第１のランドと、前記第１の面に位置し、第１の方向において前記第１のランドと離れた状態で隣り合う第２のランド」に相当する構成を備えている。
　　　　　
　引用発明１では、「チップ部品３は、左側のパッド１ｂと接する左側の電極６と、右側のパッド１ｂと接する右側の電極６とを有し」ているから、引用発明１は本願補正発明の「第１の電極と第２の電極とを有し、前記第１の電極が前記第１のランドに接続されると共に、前記第２の電極が前記第２のランドに接続される素子」に相当する構成を備えている。
　　　　　
　引用発明１では、「左側のパッド１ｂは、電極と接する側の頂点、左上の頂点及び左下の頂点を有し、左上の頂点から電極と接する側の頂点を経由して左下の頂点までつながる、逆くの字形状の辺を有する３角形状であり、右側のパッド１ｂは、電極と接する側の頂点、右上の頂点及び右下の頂点を有し、右上の頂点から電極と接する側の頂点を経由して右下の頂点までつながる、くの字形状の辺を有する３角形状であり、左側のパッド１ｂの電極と接する側の頂点と、右側のパッド１ｂの電極と接する側の頂点とは、中心線に対して、左右方向において、所定距離だけ離れた状態で対称に位置するとともに、左側のパッド１ｂの逆くの字形状の辺と、右側パッドの逆くの字形状の辺とは、上記中心線に対して対称に配置されて」おり、ここで、中心線に対して対称であることは、本願補正発明でいうところの、第１の方向において「向かい合う」ことに相当する。
　すると、引用発明１は本願補正発明の「前記第１のランドは前記第２のランドと向かい合う第１の辺を有し、前記第２のランドは前記第１のランドと向かい合う第２の辺を有し、前記第１の辺は第１の中央部と第１の端とを含み、前記第２の辺は第２の中央部と第２の端とを含み、前記第１の方向において、前記第１の中央部と前記第２の中央部とが向かい合うと共に、前記第１の端と前記第２の端とが向かい合い」に相当する構成を備えている。
　　　　　
　引用発明１では、「左側のパッド１ｂの左上の頂点と右側のパッド１ｂの右上の頂点との間の距離は、前記所定距離よりも長くなるとともに、左側のパッド１ｂの左下の頂点と右側のパッド１ｂの右下の頂点との間の距離は、前記所定距離よりも長くなって」いるから、引用発明１は本願補正発明の「第１の端と前記第２の端との間の第１の距離は、前記第１の中央部と前記第２の中央部との間の第２の距離よりも長く」に相当する構成を備えている。
　　　　　
　引用発明１では、「左側の電極６は、左上の頂点と電極と接する側の頂点との間において、上記逆くの字形状の辺と重なるとともに、左下の頂点と電極と接する側の頂点との間において、上記逆くの字形状の辺と重なっており、右側の電極６は、右上の頂点と電極と接する側の頂点との間において、上記くの字形状の辺と重なるとともに、辺の右下の頂点と電極と接する側の頂点との間において、上記くの字形状の辺と重なって」いる。
　ここで、上記「左上の頂点と電極と接する側の頂点との間」、「左下の頂点と電極と接する側の頂点との間」、「右上の頂点と電極と接する側の頂点との間」及び「右下の頂点と電極と接する側の頂点との間」は、逆くの字形状の辺と、くの字形状の辺との間の離間距離が、前記所定距離よりも長くなっている位置である。
　すると、引用発明１は本願補正発明の「第１の電極は、前記第１の中央部と前記第１の端との間に位置し、且つ前記第１の方向における前記第１の辺と前記第２の辺との間の距離が前記第２の距離より長く位置する前記第１の辺と重なり、前記第２の電極は、前記第２の中央部と前記第２の端との間に位置し、且つ前記第１の方向における前記第１の辺と前記第２の辺との間の距離が前記第２の距離より長く位置する前記第２の辺と重なり」に相当する構成を備えている。
　　　　　
　引用発明１では、「左側の電極６の中心線方向の長さ及び右側の電極６の中心線方向の長さは、前記所定距離よりも長くなっている」から、引用発明１は本願補正発明の「第１の電極の前記第１の方向と平面視で直交する方向における幅は、前記第２の距離よりも大きく、前記第２の電極の前記第１の方向と平面視で直交する方向における幅は、前記第２の距離よりも大きい」との構成を備えている。
　　　　　
　以上のことから、本願補正発明と引用発明１とは次の点で一致する。
「基板と、
　前記基板の第１の面に位置する第１のランドと、
　前記第１の面に位置し、第１の方向において前記第１のランドと離れた状態で隣り合う第２のランドと、
　第１の電極と第２の電極とを有し、前記第１の電極が前記第１のランドに接続されると共に、前記第２の電極が前記第２のランドに接続される素子と、を備え、
　前記第１のランドは前記第２のランドと向かい合う第１の辺を有し、
　前記第２のランドは前記第１のランドと向かい合う第２の辺を有し、
　前記第１の辺は第１の中央部と第１の端とを含み、
　前記第２の辺は第２の中央部と第２の端とを含み、
　前記第１の方向において、前記第１の中央部と前記第２の中央部とが向かい合うと共に、前記第１の端と前記第２の端とが向かい合い、
　前記第１の端と前記第２の端との間の第１の距離は、前記第１の中央部と前記第２の中央部との間の第２の距離よりも長く、
　前記第１の電極は、前記第１の中央部と前記第１の端との間に位置し、且つ前記第１の方向における前記第１の辺と前記第２の辺との間の距離が前記第２の距離より長く位置する前記第１の辺と重なり、
　前記第２の電極は、前記第２の中央部と前記第２の端との間に位置し、且つ前記第１の方向における前記第１の辺と前記第２の辺との間の距離が前記第２の距離より長く位置する前記第２の辺と重なり、
　前記第１の電極の前記第１の方向と平面視で直交する方向における幅は、前記第２の距離よりも大きく、
　前記第２の電極の前記第１の方向と平面視で直交する方向における幅は、前記第２の距離よりも大きい電子部品。」
　　　　　
　そうすると、引用発明１は、本願補正発明の発明特定事項を全て備えている。
　したがって、本願補正発明は、引用文献１に記載された発明である。
 　　　　　 
（４）小括
　本願補正発明は、引用文献１に記載された発明であるから、特許法第２９条第１項第３号に掲げる発明に該当し、特許出願の際独立して特許を受けることができないものである。
　したがって、本件補正は、特許法第１７条の２第６項において準用する同法第１２６条第７項の規定に違反するので、同法第１５９条第１項の規定において読み替えて準用する同法第５３条第１項の規定により却下すべきものである。
 　　　　　 
３　本願発明について
（１）本願発明
　平成２７年７月３日付けの手続補正は上記のとおり却下されたので、本願の請求項１〜５に係る発明は、平成２６年８月２９日付けの手続補正により補正された特許請求の範囲の請求項１〜５に記載された事項により特定されるとおりのものと認められ、そのうちの請求項１に係る発明（以下「本願発明」という。）は、次のとおりである。
「【請求項１】
　基板と、
　前記基板の第１の面に位置する第１のランドと、
　前記第１の面に位置し、第１の方向において前記第１のランドと離れた状態で隣り合う第２のランドと、
　第１の電極と第２の電極とを有し、前記第１の電極が前記第１のランドに接続されると共に、前記第２の電極が前記第２のランドに接続される素子と、を備え、
　前記第１のランドは前記第２のランドと向かい合う第１の辺を有し、
　前記第２のランドは前記第１のランドと向かい合う第２の辺を有し、
　前記第１の辺は第１の中央部と第１の端とを含み、
　前記第２の辺は第２の中央部と第２の端とを含み、
　前記第１の方向において、前記第１の中央部と前記第２の中央部とが向かい合うと共に、前記第１の端と前記第２の端とが向かい合い、
　前記第１の端と前記第２の端との間の第１の距離は、前記第１の中央部と前記第２の中央部との間の第２の距離よりも長く、
　前記第１の電極は、前記第１の中央部と前記第１の端との間に位置し、且つ前記第１の方向における前記第１の辺と前記第２の辺との間の距離が前記第２の距離より長く位置する前記第１の辺と重なり、
　前記第２の電極は、前記第２の中央部と前記第２の端との間に位置し、且つ前記第１の方向における前記第１の辺と前記第２の辺との間の距離が前記第２の距離より長く位置する前記第２の辺と重なることを特徴とする電子部品。」
 　　　　　 
（２）原査定
　原査定における拒絶理由の概要は、「この出願については、平成２６年９月３０日付け拒絶理由通知書に記載した理由によって、拒絶をすべきものです。」というものであり、平成２６年９月３０日付け拒絶理由通知書によると、次の理由を含むものである。
「この出願の下記の請求項に係る発明は、その出願前に日本国内又は外国において、頒布された下記の刊行物に記載された発明又は電気通信回線を通じて公衆に利用可能となった発明であるから、特許法第２９条第１項第３号に該当し、特許を受けることができない。
　１．実願昭６１−２７７２９号（実開昭６２−１４０７７２号）のマイクロフィルム」
　　　　　
（３）引用文献及びその記載事項
　原査定の拒絶の理由に引用され、本願の出願前に頒布された刊行物である実願昭６１−２７７２９号（実開昭６２−１４０７７２号）のマイクロフィルム（以下「引用文献２」という。）には、図面とともに次の事項が記載されている。
　　　　　
　ア　「２．実用新案登録請求の範囲
（１）先端にゆくにしたがつて徐々に幅を狭くしてあることを特徴とするチツプ部品取付用ランド部。
（２）接触部の幅がチツプ部品の電極の幅よりも狭いことを特徴とする実用新案登録請求の範囲第１項記載のチツプ部品取付用ランド部。
（３）後端部の幅がチツプ部品の電極の幅よりも狭いことを特徴とする実用新案登録請求の範囲第１項記載のチツプ部品取付用ランド部。」（明細書１ページ４行〜１３行）
　　　　　
　イ　「（実施例）
　次に、本考案について図面を参照して説明する。
　第１図は本考案の一実施例のチップ部品取付用ランド部にチツプ部品を載せた状態を示す斜視図、第２図は第１図のチツプ部品をはんだ付けした状態を示す断面図である。
　図中、１はプリント基板、２は導体パターン、３はチツプ部品取付用ランド部、４はランド部の後端部、５はチツプ部品取付用ランド部の先端、６は接触部、７はチツプ部品、８はチツプ部品の電極部、９は固着剤、１０ははんだである。
　チツプ部品取付用ランド部３は、チツプ部品７側の接触部６と導体パターン２側の後端部４とからなり、先端５にゆくにしたがつて徐々に幅が狭くなるように形成されている。接触部６には、チツプ部品７の電極部８が載る。また、後端部４は、導体パターン２につながつている。なお、第１図のチツプ部品取付用ランド部３は、第３図に示すように、接触部６の幅ａがチツプ部品７の電極部８の幅ｃよりも狭く、後端部４の幅ｂがチツプ部品７の電極部８の幅ｃよりも広い。
　・・・（中略）・・・
　本実施例のチツプ部品取付用ランド部３によれば、先端５にゆくにしたがつて徐々に幅が狭くなつているので、はんだデイツプ法によりはんだ付けしても、第６図に示すようなはんだ過多が発生せず、また他のチツプ部品（図示せず）のはんだとの間で、はんだブリッジを誘発することもない。」（明細書３ページ４行〜４ページ１６行）
　　　　　
　ウ　第１〜３図を参照すると、下記（ア）〜（エ）の事項がみてとれる。
　なお、「左」、「右」、「上」及び「下」」は、いずれも第３図での紙面に対するものをいう。
　　　　　
（ア）プリント基板１の上面に設けられた左側のチップ取付用ランド部３と、該左側のチップ取付用ランド部３に対して左右方向に離れて設けられる右側のチップ取付用ランド部３とを有していること。
　　　　　
（イ）チップ部品７は、左側のチップ取付用ランド部３の接触部６に載る左側の電極部８と、右側のチップ取付用ランド部３の接触部６に載る右側の電極部８とを有していること。
　また、左側及び右側のチップ取付用ランド部３は、それぞれ、後端部４から、先端５にゆくにしたがって徐々に幅が狭くなる部分（以下「狭まり部分」という。）を有している。
　ここで、左側及び右側のチップ取付用ランド部３において、後端部４の上側と狭まり部分の上側との交点を、以下「狭まり部分の上側の始点」といい、また、後端部４の下側と狭まり部分の下側との交点を、以下「狭まり部分の下側の始点」という。
　　　　　
（ウ）左側のチップ取付用ランド部３は、狭まり部分の上側の始点から、先端５を経由して、狭まり部分の下側の始点までつながる、略逆くの字形状の辺を有しており、右側のチップ取付用ランド部３は、狭まり部分の上側の始点から、先端５を経由して、狭まり部分の下側の始点までつながる、略くの字形状の辺を有していること。
　また、左側のチップ取付用ランド部３の先端５と、右側のチップ取付用ランド部３の先端５とは、左右方向において、所定距離だけ離れた状態で、互いに対称に位置するとともに、左側のチップ取付用ランド部３の狭まり部分の上側の始点と、右側のチップ取付用ランド部３の狭まり部分の上側の始点とは、左右方向において、互いに対称に位置するとともに、左側のチップ取付用ランド部３の狭まり部分の下側の始点と、右側のチップ取付用ランド部３の狭まり部分の下側の始点とは、左右方向において、互いに対称に位置していること。
　更に、左側のチップ取付用ランド部３の狭まり部分の上側の始点と、右側のチップ取付用ランド部３の狭まり部分の上側の始点との間の距離は、前記所定距離よりも長く、左側のチップ取付用ランド部３の狭まり部分の下側の始点と、右側のチップ取付用ランド部３の狭まり部分の下側の始点との間の距離は、前記所定距離よりも長くなっていること。
　　　　　
（エ）左側の電極６は、狭まり部分の上側の始点と先端５との間において、上記略逆くの字形状の辺と重なるとともに、狭まり部分の下側の始点と先端５との間において、上記略逆くの字形状の辺と重なっていること。
　また、右側の電極６は、狭まり部分の上側の始点と先端５との間において、上記略くの字形状の辺と重なるとともに、狭まり部分の下側の始点と先端５との間において、上記略くの字形状の辺と重なっていること。
　　　　　
　上記の記載事項及び図面の記載を総合すると、引用文献２には、チップ部品取付用ランド部に関して、第１〜３図に記載の実施例として、次の発明（以下「引用発明２」という。）が実質的に記載されている。
「プリント基板１と、プリント基板１の上面に設けられた左側のチップ取付用ランド部３と、該左側のチップ取付用ランド部３に対して左右方向に離れて設けられる右側のチップ取付用ランド部３とを有し、
　チップ部品７は、左側のチップ取付用ランド部３の接触部６に載る左側の電極部８と、右側のチップ取付用ランド部３の接触部６に載る右側の電極部８とを有し、
　左側のチップ取付用ランド部３は、狭まり部分の上側の始点から、先端５を経由して、狭まり部分の下側の始点までつながる、略逆くの字形状の辺を有しており、右側のチップ取付用ランド部３は、狭まり部分の上側の始点から、先端５を経由して、狭まり部分の下側の始点までつながる、略くの字形状の辺を有しており、
　左側のチップ取付用ランド部３の先端５と、右側のチップ取付用ランド部３の先端５とは、左右方向において、所定距離だけ離れた状態で、互いに対称に位置するとともに、左側のチップ取付用ランド部３の狭まり部分の上側の始点と、右側のチップ取付用ランド部３の狭まり部分の上側の始点とは、左右方向において、互いに対称に位置するとともに、左側のチップ取付用ランド部３の狭まり部分の下側の始点と、右側のチップ取付用ランド部３の狭まり部分の下側の始点とは、左右方向において、互いに対称に位置しており、
　左側のチップ取付用ランド部３の狭まり部分の上側の始点と、右側のチップ取付用ランド部３の狭まり部分の上側の始点との間の距離は、前記所定距離よりも長く、左側のチップ取付用ランド部３の狭まり部分の下側の始点と、右側のチップ取付用ランド部３の狭まり部分の下側の始点との間の距離は、前記所定距離よりも長くなっており、
　左側の電極６は、狭まり部分の上側の始点と先端５との間において、上記略逆くの字形状の辺と重なるとともに、狭まり部分の下側の始点と先端５との間において、上記略逆くの字形状の辺と重なっており、
　右側の電極６は、狭まり部分の上側の始点と先端５との間において、上記略くの字形状の辺と重なるとともに、狭まり部分の下側の始点と先端５との間において、上記略くの字形状の辺と重なっている、
　チップ部品取付用ランド部に取付られたチップ部品。」
　　　　　
（４）対比・判断
　本願発明と引用発明２とを対比する。
　引用発明２の「プリント基板１」は、本願発明の「基板」に相当する。
　以下同様に「左側のチップ取付用ランド部３」は「第１のランド」に、
　「右側のチップ取付用ランド部３」は「第２のランド」に、
　「左右方向」は「第１の方向」に、
　「左側の電極部８」は「第１の電極」に、
　「右側の電極部８」は「第２の電極」に、
　「チップ部品７」は「素子」に、
　「略逆くの字形状の辺」は「第１の辺」に、
　「略くの字形状の辺」は「第２の辺」に、
　左側のチップ取付用ランド部３の「先端５」は「第１の中央部」に、
　左側のチップ取付用ランド部３の「狭まり部分の上側の始点」（または「狭まり部分の下側の始点」）は「第１の端」に、
　右側のチップ取付用ランド部３の「先端５」は「第２の中央部」に、
　右側のチップ取付用ランド部３の「狭まり部分の上側の始点」（または「狭まり部分の下側の始点」）は「第２の端」に、
　「左側のチップ取付用ランド部３の狭まり部分の上側の始点と、右側のチップ取付用ランド部３の狭まり部分の上側の始点との間の距離」（または「左側のチップ取付用ランド部３の狭まり部分の下側の始点と、右側のチップ取付用ランド部３の狭まり部分の下側の始点との間の距離」）は「第１の距離」に、
　「所定距離」は「第２の距離」に、
　「チップ部品取付用ランド部に取付られたチップ部品」は「電子部品」に、それぞれ相当する。
　　　　　
　引用発明２は、「プリント基板１と、プリント基板１の上面に設けられた左側のチップ取付用ランド部３と、該左側のチップ取付用ランド部３に対して左右方向に離れて設けられる右側のチップ取付用ランド部３とを有し」ているから、引用発明２は本願発明の「基板と、前記基板の第１の面に位置する第１のランドと、前記第１の面に位置し、第１の方向において前記第１のランドと離れた状態で隣り合う第２のランド」に相当する構成を備えている。
　　　　　
　引用発明２では、「チップ部品７は、左側のチップ取付用ランド部３の接触部６に載る左側の電極部８と、右側のチップ取付用ランド部３の接触部６に載る右側の電極部８とを有し」ているから、引用発明２は本願発明の「第１の電極と第２の電極とを有し、前記第１の電極が前記第１のランドに接続されると共に、前記第２の電極が前記第２のランドに接続される素子」に相当する構成を備えている。
　　　　　
　引用発明２では、「左側のチップ取付用ランド部３は、狭まり部分の上側の始点から、先端５を経由して、狭まり部分の下側の始点までつながる、略逆くの字形状の辺を有しており、右側のチップ取付用ランド部３は、狭まり部分の上側の始点から、先端５を経由して、狭まり部分の下側の始点までつながる、略くの字形状の辺を有しており、左側のチップ取付用ランド部３の先端５と、右側のチップ取付用ランド部３の先端５とは、左右方向において、所定距離だけ離れた状態で、互いに対称に位置するとともに、左側のチップ取付用ランド部３の狭まり部分の上側の始点と、右側のチップ取付用ランド部３の狭まり部分の上側の始点とは、左右方向において、互いに対称に位置するとともに、左側のチップ取付用ランド部３の狭まり部分の下側の始点と、右側のチップ取付用ランド部３の狭まり部分の下側の始点とは、左右方向において、互いに対称に位置して」おり、ここで、左右方向において「互いに対称」であることは、本願発明でいうところの、第１の方向において「向かい合う」ことに相当する。
　すると、引用発明２は本願発明の「前記第１のランドは前記第２のランドと向かい合う第１の辺を有し、前記第２のランドは前記第１のランドと向かい合う第２の辺を有し、前記第１の辺は第１の中央部と第１の端とを含み、前記第２の辺は第２の中央部と第２の端とを含み、前記第１の方向において、前記第１の中央部と前記第２の中央部とが向かい合うと共に、前記第１の端と前記第２の端とが向かい合い」に相当する構成を備えている。
　　　　　
　引用発明２では、「左側のチップ取付用ランド部３の狭まり部分の上側の始点と、右側のチップ取付用ランド部３の狭まり部分の上側の始点との間の距離は、前記所定距離よりも長く、左側のチップ取付用ランド部３の狭まり部分の下側の始点と、右側のチップ取付用ランド部３の狭まり部分の下側の始点との間の距離は、前記所定距離よりも長くなって」いるから、引用発明２は本願発明の「第１の端と前記第２の端との間の第１の距離は、前記第１の中央部と前記第２の中央部との間の第２の距離よりも長く」に相当する構成を備えている。
　　　　　
　引用発明２では、「左側の電極６は、狭まり部分の上側の始点と先端５との間において、上記略逆くの字形状の辺と重なるとともに、狭まり部分の下側の始点と先端５との間において、上記略逆くの字形状の辺と重なっており、右側の電極６は、狭まり部分の上側の始点と先端５との間において、上記略くの字形状の辺と重なるとともに、狭まり部分の下側の始点と先端５との間において、上記略くの字形状の辺と重なって」いる。
　ここで、上記「狭まり部分の上側の始点と先端５との間」、「狭まり部分の下側の始点と先端５との間」、「狭まり部分の上側の始点と先端５との間」及び「狭まり部分の下側の始点と先端５との間」は、略逆くの字形状の辺と、略くの字形状の辺との間の離間距離が、前記所定距離よりも長くなっている位置である。
　すると、引用発明２は本願発明の「第１の電極は、前記第１の中央部と前記第１の端との間に位置し、且つ前記第１の方向における前記第１の辺と前記第２の辺との間の距離が前記第２の距離より長く位置する前記第１の辺と重なり、前記第２の電極は、前記第２の中央部と前記第２の端との間に位置し、且つ前記第１の方向における前記第１の辺と前記第２の辺との間の距離が前記第２の距離より長く位置する前記第２の辺と重なり」に相当する構成を備えている。
　　　　　
　以上のことから、本願発明と引用発明２とは次の点で一致する。
「基板と、
　前記基板の第１の面に位置する第１のランドと、
　前記第１の面に位置し、第１の方向において前記第１のランドと離れた状態で隣り合う第２のランドと、
　第１の電極と第２の電極とを有し、前記第１の電極が前記第１のランドに接続されると共に、前記第２の電極が前記第２のランドに接続される素子と、を備え、
　前記第１のランドは前記第２のランドと向かい合う第１の辺を有し、
　前記第２のランドは前記第１のランドと向かい合う第２の辺を有し、
　前記第１の辺は第１の中央部と第１の端とを含み、
　前記第２の辺は第２の中央部と第２の端とを含み、
　前記第１の方向において、前記第１の中央部と前記第２の中央部とが向かい合うと共に、前記第１の端と前記第２の端とが向かい合い、
　前記第１の端と前記第２の端との間の第１の距離は、前記第１の中央部と前記第２の中央部との間の第２の距離よりも長く、
　前記第１の電極は、前記第１の中央部と前記第１の端との間に位置し、且つ前記第１の方向における前記第１の辺と前記第２の辺との間の距離が前記第２の距離より長く位置する前記第１の辺と重なり、
　前記第２の電極は、前記第２の中央部と前記第２の端との間に位置し、且つ前記第１の方向における前記第１の辺と前記第２の辺との間の距離が前記第２の距離より長く位置する前記第２の辺と重なる電子部品。」
　　　　　
　そうすると、引用発明２は、本願発明の発明特定事項を全て備えている。
　したがって、本願発明は、引用文献２に記載された発明である。
　　　　　 
（５）小括
　本願発明は、引用文献２に記載された発明であり、特許法第２９条第１項第３号に掲げる発明に該当し、特許を受けることができない。
　　　　　
４　むすび
　以上のとおり、本願発明は、特許法第２９条第１項第３号に掲げる発明に該当し、特許を受けることができないから、他の請求項に係る発明について検討するまでもなく、本願は拒絶をすべきものである。
　よって、結論のとおり審決する。